(57)【要約】      （修正有）【課題】ビルの外壁等に用いられるシール材が外から見えず、施工も容易な外装パネルを提供する。【解決手段】上下及び左右に並べて配置される複数のパネル１，１，…と、パネル間に設けられるシール材２及び目地棒３とを備え、パネル１は、周囲に段部４を有し、シール材２は、隣接するパネル１，１の段部４，４の奥側に形成される溝１１に充填してあり、目地棒３は、溝形の受け材３ａと目板３ｂとからなり、受け材３ａは、隣接するパネル１，１の段部４，４にまたがって取付けてあり、目板３ｂは、受け材３ａの溝１３に嵌め込んで取付けてある。【選択図】図１
0003178380.tif 000002
【実用新案登録請求の範囲】
【請求項１】
上下及び左右に並べて配置される複数のパネルと、パネル間に設けられるシール材及び目地棒とを備え、パネルは、周囲に段部を有し、シール材は、隣接するパネルの段部の奥側に形成される溝に充填してあり、目地棒は、溝形の受け材と目板とからなり、受け材は、隣接するパネルの段部にまたがって取付けてあり、目板は、受け材の溝に嵌め込んで取付けてあることを特徴とする外装パネル。
【考案の詳細な説明】
【技術分野】
【０００１】
本考案は、ビルの外壁等に用いられる外装パネルに関する。
【背景技術】
【０００２】
ビルの外壁の一形態として、アルミ等の薄い金属板から躯体側が開放する浅い箱状に形成したパネルを、上下及び左右方向に並べて取付けて形成するものがある。隣接するパネル同士の隙間（目地）にはシール材を充填し、雨水の浸入を防いでいる。このような外装パネルにおいては、シール材がむき出しになっているため、シール材が汚れて見栄えが悪くなる、壁全体を金属色で統一できないといった不都合がある。
【０００３】
特許文献１には、母材の四方にシール受け材を組み付けてパネルを構成し、シール受け材には目地棒を止めるくぼみ又は突起が形成されており、パネルを躯体にビスで取付けてからパネル間の隙間にシール材を打ち、さらに目地棒をパネル同士の隙間に嵌め込むことで、シール材を見えなくしたものが記載されている。
上記の構造では、目地棒をパネルのシール受け材に直接嵌め込んでいるため、パネルの取付け位置に誤差があって、パネル同士の隙間に広いところや狭いところがあったりすると、目地棒を取付けるのに苦労したり、目地棒が外れやすくなったりする不都合がある。
【先行技術文献】
【特許文献】
【０００４】
【特許文献１】特開２００３−２６８９５０号公報
【考案の概要】
【考案が解決しようとする課題】
【０００５】
本考案は以上に述べた実情に鑑み、シール材が外から見えず、施工も容易な外装パネルの提供を目的とする。
【課題を解決するための手段】
【０００６】
上記の課題を達成するために請求項１記載の考案による外装パネルは、上下及び左右に並べて配置される複数のパネルと、パネル間に設けられるシール材及び目地棒とを備え、パネルは、周囲に段部を有し、シール材は、隣接するパネルの段部の奥側に形成される溝に充填してあり、目地棒は、溝形の受け材と目板とからなり、受け材は、隣接するパネルの段部にまたがって取付けてあり、目板は、受け材の溝に嵌め込んで取付けてあることを特徴とする。
【考案の効果】
【０００７】
請求項１記載の考案による外装パネルは、パネルの周囲に段部を設け、隣接するパネルの段部の奥側に形成される溝にシール材を充填し、目地棒を溝形の受け材と目板とで構成し、隣接するパネルの段部にまたがって受け材を取付け、目板を受け材の溝に嵌め込んで取付けたので、シール材が目地棒に隠れて見えず、しかもパネル間の隙間が一定でなくても目地棒を容易に取付けでき、施工性が良い。
【図面の簡単な説明】
【０００８】
【図１】図３のＡ−Ａ断面図である。
【図２】図３のＢ部の拡大図である。
【図３】本考案の外装パネルの一実施形態を示す屋外側正面図である。
【考案を実施するための形態】
【０００９】
以下、本考案の実施の形態を図面に基づいて説明する。図３は本考案の外装パネルの一実施形態を示しており、図１は図３のＡ−Ａ断面図、図２は図３のＢ部の拡大図である。
本外装パネルは、ビルの外壁として施工されるものであって、図３に示すように、縦長の長方形のパネル１，１，…を上下及び左右方向に並べて躯体５に取付け、パネル１，１，…間の縦横の隙間は、図１，２に示すように、シール材２を充填してシールすると共に、目地棒３を取付けてシール材２を隠している。
【００１０】
パネル１は、薄いアルミの板の外周部を折り曲げ、コーナー部を溶接して、躯体側が開放した箱型に形成したものであり、図１，２に示すように、縁部を２段階に曲げることで、四周に段部４が形成してある。段部４の奥側の見込み壁６には、Ｌ形の取付金具７がネジ８で取付けてあり、取付金具７の躯体取付け片９を躯体５にネジ１０で固定することで、パネル１を躯体５に取付けている。取付金具７は、図２に示すように、パネル１に取付けるためのネジ８の位置に対して躯体取付け片９がずれた位置に設けてあり、そのため取付金具７をパネル１の同じ位置に取付けても、隣接するパネル１の躯体取付け片９が重ならないようになっている。したがって、パネル１を取付ける際に順番を気にする必要がなく、またどのパネル１も単独で取外して交換することができる。
【００１１】
図１に示すように、パネル１間の隙間のうち、段部４の奥側（躯体側）に形成される溝１１にはシール材２が充填され、シール材２により雨水が躯体側に浸入するのを防いでいる。図１中の符号１２は、シール材２を受けるバックアップ材である。
【００１２】
目地棒３は、図１，２に示すように、溝形の受け材３ａと、受け材３ａの溝１３に嵌め込んで取付けられる目板３ｂの２部材で構成してある。受け材３ａと目板３ｂは、それぞれアルミの押出材で形成されている。受け材３ａは、隣接するパネル１，１の段部４，４にまたがって配置され、ネジ１４で固定している。受け材３ａとパネル１の段部４との間には、止水ゴム１５が挟み込んであり、これにより目地棒３の奥側に雨水が浸入するのを防いでいる。目板３ｂは、躯体側に突出した２条の係止爪１６を有し、受け材３ａをパネル１の段部４に取付けた後に屋外側から押し込み、係止爪１６を受け材３ａの溝１３の内側に係止させて取付けている。パネル１の段部４は、目地棒３の高さよりも深く形成してあり、したがってパネル１の表面から目地棒３が飛び出さないようになっている。
【００１３】
本外装パネルの施工手順を説明すると、まずパネル１，１，…を上下及び左右方向に並べて取付け、その後、隣接するパネル１，１の段部４，４の奥側に形成される溝１１にシール材２を充填する。次に、隣接するパネル１，１の段部４，４にまたがるように受け材３ａを取付ける。最後に、受け材３ａに目板３ｂを嵌め込んで取付ける。
【００１４】
以上に述べたように本外装パネルは、パネル１の周囲に段部４を設け、隣接するパネル１，１の段部４，４の奥側に形成される溝１１にシール材２を充填し、隣接するパネル１，１の段部４，４にまたがってアルミ製の目地棒３を取付けたので、シール材２が目地棒３で隠れて見えず、壁全体を金属色で統一できるので、意匠性が優れている。しかも目地棒３を溝形の受け材３ａと、受け材３ａの溝１３に嵌め込む目板３ｂとに分割して形成し、受け材３ａを隣接するパネル１，１の段部４，４に跨って取付けたことで、パネル１の取付位置に誤差があって、パネル１間の隙間に広いところや狭いところがあっても、目地棒３を容易に取付けでき、施工性が良い。パネル１は、金属の板を折り曲げて角部を溶接するだけで製作でき、安価である。
【００１５】
本考案は以上に述べた実施形態に限定されない。パネル１及び目地棒３の形状、材質は、適宜変更することができる。本考案の外装パネルは、建物の外壁に限らず、屋根に施工することもできる。
【符号の説明】
【００１６】
１  パネル
２  シール材
３  目地棒
３ａ  受け材
３ｂ  目板
４  段部
【図１】
0003178380.tif 000003
【図２】
0003178380.tif 000004
【図３】
0003178380.tif 000005